(57)【要約】【課題】クロマトグラムの測定途中経過の確認を、視認による波形観察により常時行なうことなく実行可能なクロマトグラフ装置を実現する。【解決手段】クロマトグラムを電圧の変化として出力する回路に、電圧の変化を音声または光の輝度または点滅間隔の変化として出力する回路が接続され、この回路の出力装置としてスピーカまたは光源が接続される。クロマトグラフ装置１の測定出力にピークが発生したことを、音又は光の変化により報知するように構成したので、操作者は、クロマトグラムを常時、視認による波形観察によって行なう必要はなく、他の作業等を実行しながらピークの発生を認識することができる。【選択図】図１
2007303987.tif 000002
【特許請求の範囲】
【請求項１】
クロマトグラフ装置において、
測定試料のクロマトグラムを画面表示する手段と、
測定試料のクロマトグラムに対応した音又は光を発生し報知する報知手段と、
を備えることを特徴とするクロマトグラフ装置。
【請求項２】
請求項１記載のクロマトグラフ装置において、上記報知手段は、クロマトグラムが一定値のときは、一定間隔の断続的な音を出力し、クロマトグラムに変化が生じたときは、その変化率に応じて、断続音の間隔を変化させることを特徴とするクロマトグラフ装置。
【請求項３】
請求項１記載のクロマトグラフ装置において、上記報知手段は、クロマトグラムが一定値のときは、一定周波数の音を出力し、クロマトグラムに変化が生じたときは、クロマトグラムの絶対値に応じて、音の周波数を変化させることを特徴とするクロマトグラフ装置。
【請求項４】
請求項１記載のクロマトグラフ装置において、上記報知手段は、クロマトグラムが一定値のときは、一定間隔の断続的な音を出力し、クロマトグラムに変化が生じたときは、クロマトグラムの絶対値に応じて、断続音の間隔を変化させることを特徴とするクロマトグラフ装置。
【請求項５】
請求項１記載のクロマトグラフ装置において、上記報知手段は、クロマトグラムが一定値のときは、一定周波数の音を出力し、クロマトグラムに変化が生じたときは、クロマトグラムの変化率に応じて、音の周波数を変化させることを特徴とするクロマトグラフ装置。
【請求項６】
請求項１記載のクロマトグラフ装置において、上記報知手段は、クロマトグラムが一定値のときは、光を一定間隔で点滅し、クロマトグラムに変化が生じたときは、クロマトグラムの変化率に応じて、光の点滅間隔を変化させることを特徴とするクロマトグラフ装置。
【請求項７】
請求項１記載のクロマトグラフ装置において、上記報知手段は、クロマトグラムが一定値のときは、一定輝度の光を発生し、クロマトグラムに変化が生じたときは、クロマトグラムの絶対値に応じて、発生する光の輝度を変化させることを特徴とするクロマトグラフ装置。
【請求項８】
請求項１記載のクロマトグラフ装置において、上記報知手段は、クロマトグラムが一定値のときは、光を一定間隔で点滅し、クロマトグラムに変化が生じたときは、クロマトグラムの絶対値に応じて、光の点滅間隔を変化させることを特徴とするクロマトグラフ装置。
【請求項９】
請求項１記載のクロマトグラフ装置において、上記報知手段は、クロマトグラムが一定値のときは、一定輝度の光を発生し、クロマトグラムに変化が生じたときは、クロマトグラムの変化率に応じて、発生する光の輝度を変化させることを特徴とするクロマトグラフ装置。
【請求項１０】
請求項１記載のクロマトグラフ装置において、上記報知手段は、複数種類の音声を記憶する手段を有し、この記憶手段に記憶された音声のうち、クロマトグラムに対応した音声を発生することを特徴とするクロマトグラフ装置。
【請求項１１】
請求項１記載のクロマトグラフ装置において、上記報知手段は、クロマトグラムが一定値の状態が一定期間以上経過した場合は、それを示す音又は光を発生することを特徴とするクロマトグラフ装置。
【請求項１２】
クロマトグラフ装置から出力されるクロマトグラムデータを処理するクロマトグラフ用データ処理装置であって、
上記クロマトグラムデータに対応した音又は光を発生し報知する報知手段を備えることを特徴とするクロマトグラフ用データ処理装置。
【請求項１３】
請求項１２記載のクロマトグラフ用データ処理装置において、上記報知手段は、クロマトグラムが一定値のときは、一定音を出力し、クロマトグラムに変化が生じたときは、上記一定音とは異なる音を発生させることを特徴とするクロマトグラフ用データ処理装置。
【請求項１４】
請求項１２記載のクロマトグラフ用データ処理装置において、上記報知手段は、クロマトグラムが一定値のときは、一定光を発生し、クロマトグラムに変化が生じたときは、上記一定光とは異なる光を発生させることを特徴とするクロマトグラフ用データ処理装置。
【請求項１５】
請求項１２記載のクロマトグラフ用データ処理装置において、上記報知手段は、クロマトグラムが一定値の状態が一定期間以上経過した場合は、それを示す音又は光を発生することを特徴とするクロマトグラフ用データ処理装置。
【発明の詳細な説明】
【技術分野】
【０００１】
本発明は、ガスクロマトグラフや液体クロマトグラフなどのクロマトグラフ装置に関する。
【背景技術】
【０００２】
液体クロマトグラフや、例えば、非特許文献１に記載されたガスクロマトグラフなどのクロマトグラフ装置では、分析対象成分の同定や定量にデータ処理装置が用いられる。
【０００３】
クロマトグラムは、データ処理装置の紙への出力、またはコンピュータディスプレイへの表示が一般的であり、最終結果のみならず途中経過の確認も、これら紙、またはコンピュータ用ディスプレイで確認が行なわれている。
【０００４】
これは、クロマトグラムの形状を観察して、操作者が条件を調整する必要があるからである。
【０００５】
【非特許文献１】「ガスクロマトグラフ」、第３版、荒木峻著、東京化学同人、ｐ７〜９
【発明の開示】
【発明が解決しようとする課題】
【０００６】
クロマトグラフでは、サンプルをクロマトグラフ装置に導入してから、その結果であるクロマトグラムが得られるまで、通常でも数十分間必要であり、サンプルの種類によっては１時間以上要する事が少なくない。
【０００７】
組成のわかっているサンプルを繰返し測定する場合は、２回目以降はクロマトグラムの形状が１回目と同じであることから、２回目以降の分析では途中経過を観察する必要はなく、分析が終わった頃を見計らって確認すれば良い。
【０００８】
しかし、クロマトグラムの形状が未知のサンプルを測定する場合は、クロマトグラムの形状を常時、視認により観察していなければならない。そのため、未知のサンプル測定中は、操作者は、他の作業ができない、あるいは他の作業をたびたび中断せざるを得ないなどの理由により、全体的な作業効率の低下が避けられなかった。
【０００９】
本発明の目的は、クロマトグラムの測定途中経過の確認を、視認による波形観察により常時行なうことなく実行可能なクロマトグラフ装置の実現に関する。
【課題を解決するための手段】
【００１０】
本発明によれば、クロマトグラフ装置又はクロマトグラフ用データ処理装置において、測定試料のクロマトグラムを画面表示すると共に、測定試料のクロマトグラムに対応した音又は光を発生し報知する。
【発明の効果】
【００１１】
本発明によれば、クロマトグラムの測定途中経過の確認を、視認による波形観察により常時行なうことなく実行可能なクロマトグラフ装置及びクロマトグラフ用データ処理装置を実現することができる。
【発明を実施するための最良の形態】
【００１２】
以下、本発明の実施形態について、添付図面を参照して説明する。  
図1は、本発明の一実施形態が適用されるクロマトグラフ分析システムの概略構成図である。
【００１３】
図１において、クロマトグラフ装置１では、サンプル導入部２から導入されたサンプルは、カラム３で分離され、検出器４に到達する。検出器４では、到達したサンプルの濃度、あるいは絶対量に応じて電流あるいは電圧の変化として電気信号を出力する。検出器４から出力された電気信号は、増幅器５により電圧の変化としてクロマトグラム信号出力端子６から出力される。
【００１４】
クロマトグラム信号出力端子６に接続されたデータ処理装置７では、連続的にこの出力端子６の出力電圧の変化を記録し、時間と電圧との関係をコンピュータディスプレイ画面８に表示またはプリンタ９の紙１０に印字する。  
ここで、出力された時間と電圧の関係のグラフをクロマトグラム１１と呼ぶ。
【００１５】
図２は、代表的なクロマトグラムを示す図である。図２のクロマトグラムにおいて、サンプルがない時の状態の連続した線をベースライン１２と呼び、サンプルが検出器４に到達した時の線をピーク１３と呼ぶ。
【００１６】
図３は、代表的なピーク１３を示す図である。図３において、ピーク１３の、仮想的に引かれたベースライン１２からの距離が最大になる部分をピークトップ１４と呼び、仮想的に引かれたベースライン１２とピークトップ１４との距離をピーク高さ１５と呼ぶ。そして、仮想的に引かれたベースライン１２とピーク１３の線とに挟まれた部分の面積をピーク面積１６と呼ぶ。
【００１７】
各ピーク１３において、サンプル導入後ピークトップ１４が得られるまでの時間を保持時間（リテンションタイム）と呼び、この保持時間によって成分の同定を行う。また、各ピーク１３において、ピーク面積１６によって定量を行う。
【００１８】
本発明は、上記構成のクロマトグラム分析システムにおいて、サンプル測定中にピークが発生したことを、音、光等で報知するものである。
【００１９】
クロマトグラム信号の電圧の変化を、音声または光の輝度または点滅間隔の変化として出力する方法は次の通りである。
【００２０】
図４は、本発明のクロマツグラフ用データ処理装置の概略説明図である。図４において、クロマトグラムを電圧の変化として出力する回路１７に、電圧の変化を音声または光の輝度または点滅間隔の変化として出力する回路１８が接続され、回路１８の出力装置としてスピーカ１９または光源２０が接続されている。
【００２１】
クロマトグラムを電圧の変化として出力する回路１７は、図１に示したクロマトグラフ装置１では増幅器５に対応する。
【００２２】
電圧の変化を音声または光の輝度または点滅間隔の変化として出力する回路１８は、図１に示したクロマトグラフ装置１に内蔵する場合では、増幅器５とクロマトグラム信号出力端子６との間に設けられる。図１に示したデータ処理装置７に、回路１８を内蔵する場合では、クロマトグラフ装置１からの信号を入力する部分に内蔵される。
【００２３】
また、図４に示した回路１７、１８、スピーカー１９、光源２０を独立した装置として使う場合は、図１において、クロマトグラフ装置１のクロマトグラム信号出力端子６に、データ処理装置７と共に接続する。
【００２４】
電圧の変化を音声または光の輝度または点滅間隔の変化として出力する回路１８の原理は次のとおりである。
【００２５】
図５に示すように、回路１８に入力されたクロマトグラムの電気信号２１は、固定、あるいは任意の値に設定された一定の時間間隔（例えば数ミリ秒から数秒毎）で、その電圧が測定される。測定された電圧の絶対値（図５の（B））、または電圧の変化率２２（図５の（Ａ））は、電気回路上あるいはソフトウェア上で、絶対値または変化率２２に対応する、音声の周波数または光源の輝度（図６の（Ａ）、（Ｃ））、あるいは音声または発光の間隔（図６の（Ｂ）、（Ｄ））に１対１で変換される。
【００２６】
例えば、電圧の絶対値に音声の周波数を対応させる場合は、電圧が０μＶのときは４００Ｈｚ、電圧が１０００μＶのときは６００Ｈｚ、というように対応させる。
【００２７】
また、例えば、電圧の変化率に発光の間隔を対応させる場合は、電圧の変化率が０μＶ／１００ミリ秒のときは２００ミリ秒毎に点滅させ、電圧の変化率が１０００μＶ／１００ミリ秒のときは１００ミリ秒毎に点滅させる、というように対応させる。
【００２８】
以上のように、本発明の一実施形態によれば、クロマトグラフ装置の測定出力に対応した音又は光を発生する手段を備え、ピークが発生したことを、音又は光の変化により報知するように構成したので、操作者は、クロマトグラムを常時、視認による波形観察によって行なう必要はなく、他の作業等を実行しながらピークの発生を認識することができる。  
これにより、クロマトグラムの測定途中経過の確認を、視認による波形観察により常時行なうことなく実行可能なクロマトグラフ装置を実現することができ、クロマトグラフ装置の全体的な作業効率を向上することができる。
【００２９】
なお、図６に例示したグラフでは、電圧の絶対値または変化率２２と、音声の周波数または光源の輝度、あるいは音声または発光の間隔の関係は直線の関係として表示しているが、１対１で対応していれば、必ずしも直線の関係で対応させる必要はない。
【００３０】
また、ピーク発生を報知する手段が音声の場合、「正弦波」、「三角波」、「鋸歯状波」、「方形波」など発振機による音の他、電子的記憶装置（メモリー）に記憶されたサンプリング音声（人の声など）なども使用可能である。
【００３１】
また、ピーク発生を報知する手段が光の場合、色を、それぞれ自由に選択できるようにすることも可能である。
【００３２】
これにより、複数のクロマトグラフ装置が近くに設置してある場合に、音色、あるいは光の色で、どの装置の状態かが判別可能になる。
【００３３】
また、クロマトグラムの電気信号の電圧の高さの絶対値、あるいは電圧の変化率が、あらかじめ固定された、または任意に設定された値（例えば変化率＝１００μＶ／秒）を、予め固定された、又は任意に設定された連続した時間（例えば１０分間）内に超えなかったとき、特別な音声の発生、または特別な光源の発光をさせることもできる。
【００３４】
これにより、分析が終了した（全てのピークが出終わった）と判断するための一つの基準にすることができる。
【図面の簡単な説明】
【００３５】
【図１】本発明の一実施形態が適用されるクロマトグラフ分析システムの概略構成図である。
【図２】クロマトグラムの説明図である。
【図３】クロマトグラムのピークの説明図である。
【図４】本発明における一実施形態の概略説明図である。
【図５】本発明における一実施形態の原理説明図である。
【図６】本発明における一実施形態の概略説明図である。
【符号の説明】
【００３６】
１          クロマトグラフ装置
２          サンプル導入部
３          カラム
４          検出器
５          増幅器
６          クロマトグラム信号出力端子
７          データ処理装置
８          コンピュータディスプレイの画面
９          プリンタ
１０        紙
１１        クロマトグラム
１２        ベースライン
１３        ピーク
１４        ピークトップ
１５        ピーク高さ
１６        ピーク面積
１７        クロマトグラムを電圧の変化として出力する回路
１８        電圧の変化を音声等の変化として出力する回路
１９        スピーカ
２０        光源
２１        クロマトグラムの電気信号
２２        電圧の変化率
【図１】
2007303987.tif 000003
【図２】
2007303987.tif 000004
【図３】
2007303987.tif 000005
【図４】
2007303987.tif 000006
【図５】
2007303987.tif 000007
【図６】
2007303987.tif 000008